(57)【要約】【技術課題】経年的に変色したりせず、耐久性に優れた縁石鋲を提供する。【解決手段】自発光式縁石鋲１は、偏平薄型に形成され、かつ前後面に透明なＬＥＤ発光窓８を備え、左右に縁石に対する固定ボルト孔９を形成した樹脂製の鋲本体２上に金属製のプロテクトカバー３を被せるようにして取り付た構造とする。このように、プロテクトカバー３を取り付けることにより、経年的に外観が変色したりしないと共に、衝撃により損傷したりせず、耐久性が向上する。【選択図】図１
0003125627.tif 000002
【実用新案登録請求の範囲】
【請求項１】
偏平薄型に形成され、かつ前後面に透明なＬＥＤ発光窓を備え、左右に縁石に対する固定ボルト孔を形成した構成の樹脂製鋲本体と、
前記鋲本体内に組み込まれたＬＥＤ自発光回路と、
前記ＬＥＤ発光窓に対応する部分に開口部を形成し、前記鋲本体側の固定ボルト孔に対応する部分に固定ボルト孔を設けると共に、鋲本体の上面と周側面全体をプロテクトするために鋲本体に被せるようにして取り付けられた金属製のプロテクトカバーと、
から成る自発光式縁石鋲。
【請求項２】
請求項１のＬＥＤ自発光回路の電源に、ニッケル水素電池が用いられていること、を特徴とする自発光式縁石鋲。
【請求項３】
請求項１のＬＥＤ自発光回路の電源に、太陽電池が用いられていること、を特徴とする自発光式縁石鋲。
【請求項４】
請求項１のＬＥＤ自発光回路には、昼夜検出センサーが挿入されていて、周囲が一定の暗さになるとＬＥＤ自発光回路を閉成してＬＥＤを点滅させ、周囲が一定の明るさになるとＬＥＤ自発光回路を開成してＬＥＤの点滅を自動停止する制御回路が付加されていること、を特徴とする自発光式縁石鋲。
【請求項５】
請求項１のＬＥＤ自発光回路には、昼夜検出センサーに代えて、ヘッドライトの光を検知する光センサーが挿入されていて、ヘッドライトの光を検知するとＬＥＤ自発光回路を閉成してＬＥＤを点滅させ、ヘッドライトの光を検知しなくなるとＬＥＤ自発光回路を開成してＬＥＤの点滅を自動調整する制御回路が付加されていること、を特徴とする自発光式縁石鋲。
【請求項６】
請求項１のプロテクトカバーは、アルミニュウムまたはステンレス又は合金等により成形されていること、を特徴とする自発光式縁石鋲。
【請求項７】
請求項１の鋲本体の底面には、格子状又は綾状又は網目状のリブが形成されていること、を特徴とする自発光式縁石鋲。
【考案の詳細な説明】
【技術分野】
【０００１】
本考案は、道路を走行するドライバーに対して、道路の線形が判るように、縁石の上面に取り付けて安全な走行を支援するために用いられる所謂縁石鋲に関するものである。
【背景技術】
【０００２】
従来の縁石鋲には、再帰反射面をドライバーと対向する方向に取り付けてヘッドライトの光を反射することでドライバーの視線を誘導するものと、内部にＬＥＤ等を組み込み、このＬＥＤを電池又は太陽電池を電源として自発光させるものに大別できる。
このような縁石鋲は、道路に沿って大量に用いられるものであることから、低コストで製造することが求められており、このため、鋲本体は、特開２００５−２７３２６６号公報に掲載されているように、樹脂で成形されたものが殆どで、稀にアルミダイキャスト製のものがある。
しかし、上記樹脂製の縁石鋲の場合、次のような欠点がある。
１．屋外にあるため、最初は良いが、経年劣化が激しく、変色して美観を損ねるように    なる。
２．経年劣化により強度が低下するため、一寸した衝撃で破損するようになる。
３．縁石を含めて、被取付物に対し、後付けであることと、表面はコンクリートのザラ    ザラした面であるため、縁石との密着性が悪く、隙間ができたりして、この隙間に埃    や泥が入り込み、経年的に取付強度が不足して来る。
４．アルミダイキャスト製の場合、コスト高となる。
【考案の開示】
【考案が解決しようとする課題】
【０００３】
本考案の目的は、上記１〜４に記述した欠点のない縁石鋲を提供することである。なお、本考案において、「縁石鋲」とは、所謂縁石上に取り付けて用いられるものだけでなく、各種安全のためにブロックや壁等に取り付けて用いられるものを含んでおり、所謂「縁石用」だけにその用途は限定されない。
【課題を解決するための手段】
【０００４】
上記目的を達成するため、請求項１に記載の考案においては、自発光式縁石鋲において、偏平薄型に形成され、かつ前後面に透明なＬＥＤ発光窓を備え、左右に縁石に対する固定ボルト孔を形成した構成の樹脂製鋲本体と、
前記鋲本体内に組み込まれたＬＥＤ自発光回路と、
前記ＬＥＤ発光窓に対応する部分に開口部を形成し、前記鋲本体側の固定ボルト孔に対応する部分に固定ボルト孔を設けると共に、鋲本体の上面と周側面全体をプロテクトするために鋲本体に被せるようにして取り付けられた金属製のプロテクトカバーと、
から成ることを特徴とするものである。
【０００５】
更に、請求項２に記載の考案においては、自発光式縁石鋲において、請求項１のＬＥＤ自発光回路の電源に、ニッケル水素電池が用いられていること、を特徴とするものである。
【０００６】
更に、請求項３に記載の考案においては、自発光式縁石鋲において、請求項１のＬＥＤ自発光回路の電源に、太陽電池が用いられていること、を特徴とするものである。
【０００７】
更に、請求項４に記載の考案においては、自発光式縁石鋲において、請求項１のＬＥＤ自発光回路には、昼夜検出センサーが挿入されていて、周囲が一定の暗さになるとＬＥＤ自発光回路を閉成してＬＥＤを点滅させ、周囲が一定の明るさになるとＬＥＤ自発光回路を開成してＬＥＤの点滅を自動停止する制御回路が付加されていること、を特徴とするものである。
【０００８】
更に、請求項５に記載の考案においては、自発光式縁石鋲において、請求項１のＬＥＤ自発光回路には、昼夜検出センサーに代えて、ヘッドライトの光を検知する光センサーが挿入されていて、ヘッドライトの光を検知するとＬＥＤ自発光回路を閉成してＬＥＤを点滅させ、ヘッドライトの光を検知しなくなるとＬＥＤ自発光回路を開成してＬＥＤの点滅を自動調整する制御回路が付加されていること、を特徴とするものである。
【０００９】
更に、請求項６に記載の考案においては、自発光式縁石鋲において、請求項１のプロテクトカバーは、アルミニュウムまたはステンレス又は合金等により成形されていること、を特徴とするものである。
【００１０】
更に、請求項７に記載の考案においては、自発光式縁石鋲において、請求項１の鋲本体の底面には、格子状又は綾状又は網目状のリブが形成されていること、を特徴とするものである。
【考案の効果】
【００１１】
本考案に係る縁石鋲は以上の如き構成から成り、次の効果を奏する。
１．金属製のプロテクトカバーを取り付けたことにより、樹脂製の鋲本体に比較して汚    れや泥がつきにくいと共に、汚れや泥が付着しても降雨時に洗い流されてしまい、経    年的に変色したり、美観が損なわれることが少ない。
２．金属製のプロテクトカバーで樹脂製の鋲本体が覆われているため、衝撃を受けた場    合、鋲本体側に亀裂が入ったり、破損したりすることがない。
３．鋲本体の底面にリブを形成したことにより、ザラザラしたコンクリート製の縁石に    対して馴染み易く、取り付けが強固となり、また隙間も発生しないため、従来のよう    に隙間に埃や泥等が侵入しない。
４．鋲本体を樹脂製とし、プロテクトカバーを金属製としたことにより、鋲本体を金属    製としたものに比較して、製造コストが安い。
【実施例】
【００１２】
図１乃至図８に基づいて、請求項１乃至請求項７に記載した本考案の実施例を詳細に説明する。
図１は本考案に係る縁石鋲１を示すもので、この図１は、鋲本体２と、鋲本体２の上面及び側面を覆うために製作された金属製のプロテクトカバー３を示すものである。図２はプロテクトカバー３の断面図、図３はプロテクトカバー３を取り付けた縁石鋲１の平面図、図４はＡ−Ａ′線断面図、図５は縁石鋲１の内部構造を示す説明図、図６はＢ−Ｂ′線断面図、図７は鋲本体２の底面に形成したリブ７を示す斜視図、図８は縁石１００に縁石鋲１を取り付けた状態の説明図である。
【００１３】
上記各図において、鋲本体２は、着色された樹脂で成形された底板４と、透明樹脂で成形された上部カバー５で構成されていて、底板４の底面６には、図７に示すような格子状のリブ７が形成されている。なお、このリブ７の形状は、綾状又は網目状又は渦巻き状等任意である。
一方、上部カバー５は前後両面を傾斜させて、ここにＬＥＤ発光窓８を形成し、左右端の中央部には固定ボルト孔９を形成し、この固定ボルト孔９は底板４側に形成した固定ボルト孔１０と対向している。
【００１４】
１１は、前記底板４と上部カバー５で形成されたＬＥＤ発光回路格納室であって、この格納室１１内にはＬＥＤ自発光回路１２が組み込まれている。ＬＥＤ自発光回路１２は、回路基板１３と、この回路基板１３に対し、前記上部カバー５のＬＥＤ発光窓８に向けて取り付けられたＬＥＤ１４と、このＬＥＤ１４の電源となるニッケル水素電池１５と、昼夜検出センサ１６を主たる構成要素としている。
１７は、底板４と上部カバー５により上記ＬＥＤ発光回路１２をとり囲むように形成された格納室１１のシールド壁であって、このシールド壁１７にはパッキング１８が挿入してあり、ＬＥＤ発光回路１２を水密にガードしている。
【００１５】
次に、プロテクトカバー３について説明する。このプロテクトカバー３は、上記鋲本体２に対し、被せるようにして取り付けられたアルミニュウムダイキャスト製であって、上記上部カバー５のＬＥＤ発光窓８と対向する面にのみ開口部１９が形成されている。上記構成の縁石鋲１は、図８に示すように、縁石１００にボルト１０１を用いてプロテクトカバー３のボルト孔２０からボルト１０１を通し、更に上部カバー５の固定ボルト孔９及び底板４の固定ボルト孔１０を経由して縁石１００に固定されている。
【００１６】
上記構成の縁石鋲１は、昼夜検出センサ１６が周囲の明るさが一定値以下（薄暮時）になると信号を発生し、この信号でＬＥＤ発光回路１２が閉成されることにより、ＬＥＤ１４に対してニッケル水素電池１５から電力が供給されて点滅発光する。
そして、周囲が一定の明るさになると（朝方）信号を発生してＬＥＤ発光回路１２を開成し、ＬＥＤ１４の点滅を止める。
このようにして、縁石鋲１は、ドライバーの視線を誘導し、安全な走行を支援する。
なお、上記縁石鋲１は、昼夜検出センサ１６により駆動が制御される構造となっているが、夜間、ヘッドライトの光を感知しているときにのみＬＥＤ１４が点滅を行うような光検知センサを用いた制御回路としても良い。
また、電源となる電池には、太陽電池、あるいはその他の蓄電池を用いても良い。
【図面の簡単な説明】
【００１７】
【図１】鋲本体からプロテクトカバーを離した状態の説明図
【図２】プロテクトカバーの断面図
【図３】プロテクトカバーを鋲本体に被せるようにして取り付けた状態の平面図
【図４】Ａ―Ａ′線断面図
【図５】縁石鋲の内部構造を示す説明図
【図６】Ｂ―Ｂ′線断面図
【図７】底板の下面を示す斜視図
【図８】本考案に係る縁石鋲を縁石に取り付けた状態の説明図
【符号の説明】
【００１８】
１  縁石鋲
２  鋲本体
３  プロテクトカバー
４  底板
５  上部カバー
１２  ＬＥＤ発光回路
１４  ＬＥＤ
【図１】
0003125627.tif 000003
【図２】
0003125627.tif 000004
【図３】
0003125627.tif 000005
【図４】
0003125627.tif 000006
【図５】
0003125627.tif 000007
【図６】
0003125627.tif 000008
【図７】
0003125627.tif 000009
【図８】
0003125627.tif 000010
【手続補正書】
【提出日】平成18年7月13日(2006.7.13)
【手続補正１】
【補正対象書類名】実用新案登録請求の範囲
【補正対象項目名】全文
【補正方法】変更
【補正の内容】
【実用新案登録請求の範囲】
【請求項１】
偏平薄型に形成され、かつ前後面に透明なＬＥＤ発光窓を備え、左右に縁石に対する固定ボルト孔を形成した構成の樹脂製鋲本体と、
前記鋲本体内に組み込まれたＬＥＤ自発光回路と、
前記ＬＥＤ発光窓に対応する部分に開口部を形成し、前記鋲本体側の固定ボルト孔に対応する部分に固定ボルト孔を設けると共に、鋲本体の上面と周側面全体をプロテクトするために鋲本体に被せるようにして取り付けられた金属製のプロテクトカバーと、
から成る自発光式縁石鋲。
【請求項２】
ＬＥＤ自発光回路の電源に、ニッケル水素電池が用いられていることを特徴とする請求項１記載の自発光式縁石鋲。
【請求項３】
ＬＥＤ自発光回路の電源に、太陽電池が用いられていることを特徴とする請求項１記載の自発光式縁石鋲。
【請求項４】
ＬＥＤ自発光回路には、昼夜検出センサーが挿入されていて、周囲が一定の暗さになるとＬＥＤ自発光回路を閉成してＬＥＤを点滅させ、周囲が一定の明るさになるとＬＥＤ自発光回路を開成してＬＥＤの点滅を自動停止する制御回路が付加されていることを特徴とする請求項１記載の自発光式縁石鋲。
【請求項５】
ＬＥＤ自発光回路には、昼夜検出センサーに代えて、ヘッドライトの光を検知する光センサーが挿入されていて、ヘッドライトの光を検知するとＬＥＤ自発光回路を閉成してＬＥＤを点滅させ、ヘッドライトの光を検知しなくなるとＬＥＤ自発光回路を開成してＬＥＤの点滅を自動調整する制御回路が付加されていることを特徴とする請求項１記載の自発光式縁石鋲。
【請求項６】
プロテクトカバーは、アルミニュウムまたはステンレス又は合金等により成形されていることを特徴とする請求項１記載の自発光式縁石鋲。
【請求項７】
鋲本体の底面には、格子状又は綾状又は網目状のリブが形成されていることを特徴とする請求項１記載の自発光式縁石鋲。
【手続補正２】
【補正対象書類名】明細書
【補正対象項目名】０００５
【補正方法】変更
【補正の内容】
【０００５】
更に、請求項２に記載の考案においては、請求項１記載の自発光式縁石鋲において、ＬＥＤ自発光回路の電源に、ニッケル水素電池が用いられていることを特徴とするものである。
【手続補正３】
【補正対象書類名】明細書
【補正対象項目名】０００６
【補正方法】変更
【補正の内容】
【０００６】
更に、請求項３に記載の考案においては、請求項１記載の自発光式縁石鋲において、ＬＥＤ自発光回路の電源に、太陽電池が用いられていることを特徴とするものである。
【手続補正４】
【補正対象書類名】明細書
【補正対象項目名】０００７
【補正方法】変更
【補正の内容】
【０００７】
更に、請求項４に記載の考案においては、請求項１記載の自発光式縁石鋲において、ＬＥＤ自発光回路には、昼夜検出センサーが挿入されていて、周囲が一定の暗さになるとＬＥＤ自発光回路を閉成してＬＥＤを点滅させ、周囲が一定の明るさになるとＬＥＤ自発光回路を開成してＬＥＤの点滅を自動停止する制御回路が付加されていることを特徴とするものである。
【手続補正５】
【補正対象書類名】明細書
【補正対象項目名】０００８
【補正方法】変更
【補正の内容】
【０００８】
更に、請求項５に記載の考案においては、請求項１記載の自発光式縁石鋲において、ＬＥＤ自発光回路には、昼夜検出センサーに代えて、ヘッドライトの光を検知する光センサーが挿入されていて、ヘッドライトの光を検知するとＬＥＤ自発光回路を閉成してＬＥＤを点滅させ、ヘッドライトの光を検知しなくなるとＬＥＤ自発光回路を開成してＬＥＤの点滅を自動調整する制御回路が付加されていることを特徴とするものである。
【手続補正６】
【補正対象書類名】明細書
【補正対象項目名】０００９
【補正方法】変更
【補正の内容】
【０００９】
更に、請求項６に記載の考案においては、請求項１記載の自発光式縁石鋲において、プロテクトカバーは、アルミニュウムまたはステンレス又は合金等により成形されていることを特徴とするものである。
【手続補正７】
【補正対象書類名】明細書
【補正対象項目名】００１０
【補正方法】変更
【補正の内容】
【００１０】
更に、請求項７に記載の考案においては、請求項１記載の自発光式縁石鋲において、鋲本体の底面には、格子状又は綾状又は網目状のリブが形成されていることを特徴とするものである。